(57)【要約】【課題】相手側装置との間の接続を簡単,確実に行なえる信号伝送装置、コネクタユニット,コネクタシステム、および接続アダプタ,接続アダプタシステムを提供する。【解決手段】この信号伝送装置によれば、光電ケーブル９の両端に接続した第１,第２の筐体１,１１に内蔵した第１,第２の回路基板６,１６へ電力を供給する第１,第２の電力供給プラグ３,１３を第１,第２の筐体１,１１に取り付けた。この信号伝送装置は、第１,第２の筐体１,１１のそれぞれに第１,第２の電気信号プラグ２,１２と第１,第２の電力供給プラグ３,１３を取り付けたことで、相手側機器への接続を簡単,確実に行なえると共に第１,第２の電力供給プラグ３,１３から第１,第２の回路基板６,１６へ電力を供給できる。【選択図】図１
2009194511.tif 000002
【特許請求の範囲】
【請求項１】
電気信号が入力される第１の電気信号プラグと、
上記第１の電気信号プラグに接続されていると共に上記第１の電気信号プラグから入力される上記電気信号を光信号に変換する第１の信号変換部と、
上記第１の信号変換部に一端が接続されていると共に上記第１の信号変換部から入力される光信号を伝送するケーブル部と、
上記ケーブル部の他端に接続されていると共に上記ケーブル部からの光信号を電気信号に変換する第２の信号変換部と、
上記第２の信号変換部に接続されていると共に上記第２の信号変換部からの電気信号が入力される第２の電気信号プラグと、
上記第１の電気信号プラグが取り付けられている第１の基体と、
上記第２の電気信号プラグが取り付けられている第２の基体と、
上記第１、第２の基体の少なくとも一方に取付けられていると共に上記第１、第２の信号変換部の少なくとも一方へ電力を供給する電力供給プラグと
を備えたことを特徴とする信号伝送装置。
【請求項２】
請求項１に記載の信号伝送装置において、
上記第１の基体は上記第１の信号変換部を内蔵した第１の筐体であり、上記第２の基体は上記第２の信号変換部を内蔵した第２の筐体であることを特徴とする信号伝送装置。
【請求項３】
請求項１または２に記載の信号伝送装置において、
上記第１、第２の電気信号プラグのうちの少なくとも一方は、ＨＤＭＩ規格に準拠したＨＤＭＩプラグであることを特徴とする信号伝送装置。
【請求項４】
請求項１または２に記載の信号伝送装置において、
上記第１、第２の電気信号プラグのうちの少なくとも一方は、ＤＶＩ規格に準拠したＤＶＩプラグであることを特徴とする信号伝送装置。
【請求項５】
請求項１または２に記載の信号伝送装置において、
上記第１、第２の電気信号プラグのうちの少なくとも一方は、ディスプレイポート規格に準拠したディスプレイポートプラグであることを特徴とする信号伝送装置。
【請求項６】
請求項１から５のいずれか１つに記載の信号伝送装置に接続されるコネクタユニットであって、
上記第１または第２の電気信号プラグに嵌合して電気的に接続される電気信号コネクタと、
上記電力供給プラグに嵌合すると共に上記電力供給プラグに電力を供給するための電力供給コネクタとを備えたことを特徴とするコネクタユニット。
【請求項７】
請求項６に記載のコネクタユニットにおいて、
上記電気信号コネクタは、ＨＤＭＩ規格に準拠したＨＤＭＩコネクタであることを特徴とするコネクタユニット。
【請求項８】
請求項６に記載のコネクタユニットにおいて、
上記電気信号コネクタは、ＤＶＩ規格に準拠したＤＶＩコネクタであることを特徴とするコネクタユニット。
【請求項９】
請求項６に記載のコネクタユニットにおいて、
上記電気信号コネクタは、ディスプレイポート規格に準拠したディスプレイポートコネクタであることを特徴とするコネクタユニット。
【請求項１０】
請求項６に記載のコネクタユニットにおいて、
上記電気信号コネクタと電力供給コネクタは、
上記一体になっている上記電気信号プラグと電力供給プラグとに嵌合可能であることを特徴とするコネクタユニット。
【請求項１１】
請求項１から５のいずれか１つに記載の信号伝送装置において、
上記電力供給プラグを上記第１、第２の基体のうちの第２の基体だけに取り付けたことを特徴とする信号伝送装置。
【請求項１２】
請求項６から１０のいずれか１つに記載のコネクタユニットにおいて、
上記電気信号コネクタは、上記第２の電気信号プラグに嵌合して電気的に接続され、
上記電力供給コネクタは、上記第２の基体に取り付けられた電力供給プラグに嵌合することを特徴とするコネクタユニット。
【請求項１３】
請求項１から５のいずれか１つに記載の信号伝送装置において、
上記第１の基体に取付けられていると共に上記第１の信号変換部へ電力を供給する第１の電力供給プラグと、
上記第２の基体に取付けられていると共に上記第２の信号変換部へ電力を供給する第２の電力供給プラグとを備え、
上記第１の基体における上記第１の電気信号プラグと第１の電力供給プラグとの相対位置関係と、上記第２の基体における上記第２の電気信号プラグと第２の電力供給プラグとの相対位置関係とが異なっていることを特徴とする信号伝送装置。
【請求項１４】
請求項１３に記載の信号伝送装置に接続されるコネクタシステムであって、
上記第１の電気信号プラグに嵌合して電気的に接続される第１の電気信号コネクタと、上記第１の電力供給プラグに嵌合して電力を供給するための第１の電力供給コネクタとを有する第１のコネクタユニットと、
上記第２の電気信号プラグに嵌合して電気的に接続される第２の電気信号コネクタと、上記第２の電力供給プラグに嵌合して電力を供給するための第２の電力供給コネクタとを有する第２のコネクタユニットとを備え、
上記第１のコネクタユニットにおける上記第１の電気信号コネクタと第１の電力供給コネクタとの相対位置関係と、上記第２のコネクタユニットにおける上記第２の電気信号コネクタと第２の電力供給コネクタとの相対位置関係とが異なっていることを特徴とするコネクタシステム。
【請求項１５】
請求項１から５および請求項１３のうちのいずれか１つに記載の信号伝送装置に接続される接続アダプタであって、
上記第１または第２の電気信号プラグに嵌合して電気的に接続される電気信号コネクタと、
上記電力供給プラグに嵌合すると共に上記電力供給プラグに電力を供給するための電力供給コネクタと、
上記電気信号コネクタに接続されていると共に映像情報を含む電気信号を伝送するアダプタ側電気信号プラグとを備えることを特徴とする接続アダプタ。
【請求項１６】
請求項１５に記載の接続アダプタにおいて、
上記電力供給コネクタに接続された電源回路と、
上記電源回路に接続した電源ケーブルとを有することを特徴とする接続アダプタ。
【請求項１７】
請求項１３に記載の信号伝送装置に接続される接続アダプタシステムであって、
上記第１の電気信号プラグに嵌合して電気的に接続される第１の電気信号コネクタと、上記第１の電力供給プラグに嵌合して電力を供給するための第１の電力供給コネクタと、上記第１の電気信号コネクタに接続されていると共に映像情報を含む電気信号を伝送する第１のアダプタ側電気信号プラグとを有する第１の接続アダプタと、
上記第２の電気信号プラグに嵌合して電気的に接続される第２の電気信号コネクタと、上記第２の電力供給プラグに嵌合して電力を供給するための第２の電力供給コネクタと、上記第２の電気信号コネクタに接続されていると共に映像情報を含む電気信号を伝送する第２のアダプタ側電気信号プラグとを有する第２の接続アダプタとを備え、
上記第１の接続アダプタにおける上記第１の電気信号コネクタと第１の電力供給コネクタとの相対位置関係と、上記第２の接続アダプタにおける上記第２の電気信号コネクタと第２の電力供給コネクタとの相対位置関係とが異なっていることを特徴とする接続アダプタシステム。
【請求項１８】
請求項１５または１６に記載の接続アダプタにおいて、
上記電気信号コネクタの規格と上記アダプタ側電気信号プラグの規格とは異なっていることを特徴とする接続アダプタ。
【請求項１９】
請求項１から５、１１、１３のうちのいずれか１つに記載の信号伝送装置、または、請求項６から１０、１２のうちのいずれか１つに記載のコネクタユニット、または、請求項１４に記載のコネクタシステム、または、請求項１５または１６または１８に記載の接続アダプタ、または、請求項１７に記載の接続アダプタシステムを備えたことを特徴とする電子機器。
【発明の詳細な説明】
【技術分野】
【０００１】
この発明は、映像情報を伝送する信号伝送装置、コネクタユニット,コネクタシステム、および接続アダプタ,接続アダプタシステムと電子機器に関する。例えば、この発明は、デジタルＴＶ受像機、デジタルＢＳチューナ、ＣＳチューナ、ＤＶＤ(デジタルバーサタイルディスク)プレーヤー、ＤＶＤレコーダー、ハイビジョンレコーダー、ＨＤＤレコーダー、スーパーオーディオＣＤプレーヤー、ＡＶアンプ、オーディオ、パソコン、パソコン周辺機器、携帯電話、ＰＤＡ(携帯情報端末)、ゲーム機等の電子機器に使用される信号伝送装置、コネクタユニット、および接続アダプタに関する。
【背景技術】
【０００２】
従来より、映像信号を含む信号伝送については、ＤＶＩ(Ｄigital Ｖisual Ｉnterface)規格、ＨＤＭＩ(Ｈigh Ｄefinition Ｍultimedia Ｉnterface)規格、ディスプレイポート(ＤisplayＰort)規格がある。また、映像信号を含む信号の伝送ケーブルでは、電気信号線による信号伝送が行われている。この電気信号線による信号伝送では、信号品質の劣化に起因して、ケーブル長が数ｍ程度の伝送が限界であり、また、上記電気信号線による伝送ケーブルからの不要輻射ノイズの問題がある。
【０００３】
そこで、信号伝送距離を延長するために、第１の従来例の信号伝送装置としては、光ファイバを用いた伝送ケーブルを備えたデジタルビデオ信号インタフェースモジュールが提案されている(特許文献１(特開２００２−３６６３４０号公報)参照)。この第１従来例のデジタルビデオ信号インタフェースモジュールは、図１９に示すように、コンピュータ１０１、送信コネクタ１０２、光ファイバ１０３を有するケーブル１０４、受信コネクタ１０５、液晶モニタ１０６を備えている。上記送信コネクタ１０２は、レーザドライバ１０７とレーザダイオード１０８を有し、コンピュータ１０１から入力される電気信号を光信号に変換して光ファイバ１０３に出力する。一方、受信コネクタ１０５は、フォトダイオード１０９とＰＤ増幅器１１０を有し、光ファイバ１０３から入力された光信号を電気信号に変換して液晶モニタ１０６に出力する。なお、上記ケーブル１０４は、レーザドライバ１０７およびＰＤ増幅器１１０に電力を供給する電源用銅線１１１,１１２を含んでいる。
【０００４】
また、第２の従来例としては、図２０に示すように、映像信号ケーブル２００から入力される映像信号を送信モジュール２０１で電気信号から光信号に変換して、光ファイバケーブル２０２で受信モジュール２０３に伝送する信号伝送装置が提案されている(特許文献２(特開２００５−５１７２９号公報))。この第２従来例では、送信モジュール２０１はＤＣ電源回路２０５を有し、このＤＣ電源回路２０５から電気−光変換回路２０４に電力を供給している。また、ＤＣ電源回路２０５にはＡＣアダプタ２０６が接続される。同様に、受信モジュール２０３はＤＣ電源回路２０７を有し、このＤＣ電源回路２０７から光−電気変換回路２０８に電力を供給している。また、ＤＣ電源回路２０７にはＡＣアダプタ２０９が接続される。
【０００５】
ところで、前述の第１従来例では、送信コネクタ１０２とコンピュータ１０１との間で信号線１１３だけでなく電源用銅線１１１,１１２も接続する必要がある。また、受信コネクタ１０５と液晶モニタ１０６との間で信号線１１５だけでなく電源用銅線１１１,１１２も接続する必要がある。ここで、これらの複数種類の接続を簡単,確実に行なえるようにすることが求められている。
【０００６】
一方、前述の第２従来例の信号伝送装置では、送,受信モジュール２０１,２０３のそれぞれがＤＣ電源回路２０５,２０７とこのＤＣ電源回路２０５,２０７に接続されるＡＣアダプタ２０６,２０９が必要となるので、装置の大型化と複雑化を招いている。また、前述の第２従来例の信号伝送装置では、別途、光伝送装置用の電源(ＤＣ電源回路,ＡＣアダプタ)が必要であるので、この電源のために別途電源ケーブルを接続する等の手間が必要になる。また、上記電源に接続するのを忘れた場合には、信号伝送が不可能となる。
【０００７】
また、映像信号を含む信号伝送には、ＤＶＩ(デジタル・ビジュアル・インターフェイス)規格、ＨＤＭＩ(ハイディフィニション・マルチメディア・インターフェイス)規格、ＤisplayＰort(ディスプレイポート)規格がある。これらの規格で定められているプラグおよびコネクタについては、送信側、受信側の区別はなく、どちらも同じ形状となっている。
【０００８】
ここで、電気信号伝送に用いる電気信号線ケーブルにおいては、電気信号線ケーブル自身に送信側と受信側の区別をしなくても使用できるので、送信側プラグと受信側プラグとが同じ形状であっても問題が生じない。
【０００９】
一方、長距離伝送に用いる信号伝送装置では光伝送用ケーブルを使用するが、この光伝送用ケーブルを使用する信号伝送装置では、送信側プラグと受信側プラグの区別が必要となる。これは、ＤＶＩ規格およびＨＤＭＩ規格では、映像情報信号伝送について、単方向伝送であるからである。ここで、この信号伝送装置の光伝送用ケーブルのプラグを相手側装置のコネクタに誤挿入した場合、この信号伝送装置内の光素子もしくは電気回路が故障する可能性がある。
【００１０】
このような光伝送用ケーブルを用いる信号伝送装置の場合、光伝送用ケーブルの端部に接続されたプラグに、送信側プラグであるのか受信側プラグであるのかが判別可能な表示を行なう等の方法で誤挿入を防ぐ方法しか取れていないのが現状である。また、プラグを誤挿入された相手側装置が故障する可能性もある。したがって、光伝送用ケーブルの使用者は、プラグの表示に注意を払って光伝送用ケーブルを取り扱う必要がある。
【００１１】
したがって、光伝送用ケーブルのプラグの誤挿入を使用者の注意に頼らず確実に回避することが求められている。
【特許文献１】特開２００２−３６６３４０号公報
【特許文献２】特開２００５−５１７２９号公報
【発明の開示】
【発明が解決しようとする課題】
【００１２】
そこで、この発明の課題は、相手側装置との間の接続を簡単,確実に行なえる信号伝送装置、コネクタユニット,コネクタシステム、および接続アダプタ,接続アダプタシステムを提供することにある。
【課題を解決するための手段】
【００１３】
上記課題を解決するため、この発明の信号伝送装置は、電気信号が入力される第１の電気信号プラグと、
上記第１の電気信号プラグに接続されていると共に上記第１の電気信号プラグから入力される上記電気信号を光信号に変換する第１の信号変換部と、
上記第１の信号変換部に一端が接続されていると共に上記第１の信号変換部から入力される光信号を伝送するケーブル部と、
上記ケーブル部の他端に接続されていると共に上記ケーブル部からの光信号を電気信号に変換する第２の信号変換部と、
上記第２の信号変換部に接続されていると共に上記第２の信号変換部からの電気信号が入力される第２の電気信号プラグと、
上記第１の電気信号プラグが取り付けられている第１の基体と、
上記第２の電気信号プラグが取り付けられている第２の基体と、
上記第１、第２の基体の少なくとも一方に取付けられていると共に上記第１、第２の信号変換部の少なくとも一方へ電力を供給する電力供給プラグとを備えている。
【００１４】
この発明の信号伝送装置によれば、上記第１、第２の信号変換部の少なくとも一方へ電力を供給する電力供給プラグを、上記第１,第２の電気信号プラグが取り付けられている第１,第２の基体の少なくとも一方に取り付けた。よって、この発明の信号伝送装置によれば、上記基体に電気信号プラグと電力供給プラグの両プラグを取り付けたことで、相手側機器への接続を簡単,確実に行なえると共に上記電力供給プラグから信号変換部へ電力を供給できる。
【００１５】
また、一実施形態の信号伝送装置では、上記電気信号プラグと上記電力供給プラグと上記基体とが一体になっている。
【００１６】
この実施形態によれば、電気信号プラグと電力供給プラグとが一体となっているので、電気信号プラグと電力供給プラグを相手側機器のコネクタへ接続し易くなり、電力供給プラグの接続忘れを回避でき、さらに、誤挿入を防止することが可能となる。
【００１７】
また、一実施形態の信号伝送装置では、上記第１の基体は上記第１の信号変換部を内蔵した第１の筐体であり、上記第２の基体は上記第２の信号変換部を内蔵した第２の筐体である。
【００１８】
この実施形態によれば、第１,第２の筐体に第１,第２の信号変換部を内蔵したので、構造が簡単になる。
【００１９】
また、一実施形態の信号伝送装置では、上記第１、第２の電気信号プラグのうちの少なくとも一方は、ＨＤＭＩ規格に準拠したＨＤＭＩプラグである。
【００２０】
この実施形態によれば、ＨＤＭＩ(ハイディフィニション・マルチメディア・インターフェイス)規格に準拠した信号伝送を行なう信号伝送装置を相手側機器に簡単,確実に接続できる。
【００２１】
また、一実施形態の信号伝送装置では、上記第１、第２の電気信号プラグのうちの少なくとも一方は、ＤＶＩ規格に準拠したＤＶＩプラグである。
【００２２】
この実施形態によれば、ＤＶＩ(デジタル・ビジュアル・インターフェイス)規格に準拠した信号伝送を行なう信号伝送装置を相手側機器に簡単,確実に接続できる。
【００２３】
また、一実施形態の信号伝送装置では、上記第１、第２の電気信号プラグのうちの少なくとも一方は、ディスプレイポート規格に準拠したディスプレイポートプラグである。
【００２４】
この実施形態の信号伝送装置によれば、ディスプレイポート(ＤisplayＰort)規格に準拠した信号伝送を行なう信号伝送装置を相手側機器に簡単,確実に接続できる。
【００２５】
また、一実施形態のコネクタユニットは、上記第１または第２の電気信号プラグに嵌合して電気的に接続される電気信号コネクタと、
上記電力供給プラグに嵌合すると共に上記電力供給プラグに電力を供給するための電力供給コネクタとを備えた。
【００２６】
この実施形態のコネクタユニットによれば、上記電気信号コネクタと電力供給コネクタを上記信号伝送装置の電気信号プラグと電力供給プラグに簡単,確実に接続できる。
【００２７】
また、一実施形態のコネクタユニットは、上記電気信号コネクタは、ＨＤＭＩ規格に準拠したＨＤＭＩコネクタである。
【００２８】
この実施形態のコネクタユニットによれば、ＨＤＭＩ規格に準拠した信号伝送を行なう信号伝送装置に簡単,確実に接続できる。
【００２９】
また、一実施形態のコネクタユニットでは、上記電気信号コネクタは、ＤＶＩ規格に準拠したＤＶＩコネクタである。
【００３０】
この実施形態のコネクタユニットによれば、ＤＶＩ規格に準拠した信号伝送を行なう信号伝送装置に簡単,確実に接続できる。
【００３１】
また、一実施形態のコネクタユニットでは、上記電気信号コネクタは、ディスプレイポート規格に準拠したディスプレイポートコネクタである。
【００３２】
この実施形態のコネクタユニットによれば、ディスプレイポート規格に準拠した信号伝送を行なう信号伝送装置に簡単,確実に接続できる。
【００３３】
また、一実施形態のコネクタユニットでは、上記電気信号コネクタと電力供給コネクタは、上記一体になっている上記電気信号プラグと電力供給プラグとに嵌合可能である。
【００３４】
この実施形態のコネクタユニットによれば、上記電気信号コネクタと電力供給コネクタを、上記信号伝送装置の一体になっている電気信号プラグと電力供給プラグとに簡単,確実に接続でき、電力供給プラグの接続忘れを回避でき、さらに、誤挿入を防止することが可能となる。
【００３５】
また、一実施形態の信号伝送装置では、上記電力供給プラグを上記第１、第２の基体のうちの第２の基体だけに取り付けた。
【００３６】
この実施形態の信号伝送装置によれば、電気信号の出力側となる第２の電気信号プラグが取り付けられている第２の基体だけに電力供給プラグを取り付けたので、この第２の基体に取り付けた第２の電気信号プラグおよび電力供給プラグに対応したコネクタが実装された相手側機器にだけ接続可能である。よって、このケーブル部の出力側の第２の信号変換部の光素子や電気回路が誤挿入により故障することを防ぐことが可能となる。
【００３７】
また、一実施形態のコネクタユニットでは、上記電気信号コネクタは、上記第２の電気信号プラグに嵌合して電気的に接続され、上記電力供給コネクタは、上記第２の基体に取り付けられた電力供給プラグに嵌合する。
【００３８】
この実施形態のコネクタユニットによれば、上記電気信号コネクタ,電力供給コネクタを上記信号伝送装置の出力側の第２の電気信号プラグ,電力供給プラグに接続可能となり、誤挿入による故障を防ぐことが可能となり、また、接続が容易で電源供給プラグの接続忘れを防ぐことができる。
【００３９】
また、一実施形態の信号伝送装置では、上記第１の基体に取付けられていると共に上記第１の信号変換部へ電力を供給する第１の電力供給プラグと、
上記第２の基体に取付けられていると共に上記第２の信号変換部へ電力を供給する第２の電力供給プラグとを備え、
上記第１の基体における上記第１の電気信号プラグと第１の電力供給プラグとの相対位置関係と、上記第２の基体における上記第２の電気信号プラグと第２の電力供給プラグとの相対位置関係とが異なっている。
【００４０】
この実施形態の信号伝送装置によれば、入力側の第１の電気信号プラグ,第１の電力供給プラグと出力側の第２の電気信号プラグ,第２の電力供給プラグとを、使用者が容易に判別でき、誤挿入による故障を防ぐことが可能となり、また、相手側機器への接続が容易で電源供給用プラグの接続忘れを防ぐことが可能となる。
【００４１】
また、一実施形態のコネクタシステムでは、上記第１の電気信号プラグに嵌合して電気的に接続される第１の電気信号コネクタと、上記第１の電力供給プラグに嵌合して電力を供給するための第１の電力供給コネクタとを有する第１のコネクタユニットと、
上記第２の電気信号プラグに嵌合して電気的に接続される第２の電気信号コネクタと、上記第２の電力供給プラグに嵌合して電力を供給するための第２の電力供給コネクタとを有する第２のコネクタユニットとを備え、
上記第１のコネクタユニットにおける上記第１の電気信号コネクタと第１の電力供給コネクタとの相対位置関係と、上記第２のコネクタユニットにおける上記第２の電気信号コネクタと第２の電力供給コネクタとの相対位置関係とが異なっている。
【００４２】
この実施形態のコネクタシステムによれば、上記信号伝送装置の入力側のプラグに接続すべき第１の電気信号コネクタ,第１の電力供給コネクタと、上記信号伝送装置の出力側のプラグに接続すべき第２の電気信号コネクタ,第２の電力供給コネクタとを、使用者が容易に判別でき、誤挿入による故障を防ぐことが可能となる。また、上記信号伝送装置との接続が容易で信号伝送装置の電源供給用プラグの接続忘れを防ぐことが可能となる。
【００４３】
また、一実施形態の接続アダプタでは、上記第１または第２の電気信号プラグに嵌合して電気的に接続される電気信号コネクタと、
上記電力供給プラグに嵌合すると共に上記電力供給プラグに電力を供給するための電力供給コネクタと、
上記電気信号コネクタに接続されていると共に映像情報を含む電気信号を伝送するアダプタ側電気信号プラグとを備える。
【００４４】
この実施形態の接続アダプタによれば、上記電気信号コネクタ,電力供給コネクタを上記信号伝送装置の電気信号プラグ,電力供給プラグに嵌合させると共に、上記アダプタ側電気信号プラグを相手側機器の電気信号コネクタに接続することで、上記電源供給用プラグを接続するコネクタを実装していない相手側機器に対して、上記接続アダプタを介して上記信号伝送装置を接続可能となる。
【００４５】
また、一実施形態の接続アダプタでは、上記電力供給コネクタに接続された電源回路と、上記電源回路に接続した電源ケーブルとを有する。
【００４６】
この実施形態の接続アダプタによれば、上記電源供給用プラグを接続するコネクタを実装していない相手側機器に対して、上記接続アダプタを介して上記信号伝送装置を接続可能となる上に、付属の電源ケーブルを介して上記信号伝送装置に電力を供給可能となる。
【００４７】
また、一実施形態の接続アダプタシステムでは、上記第１の電気信号プラグに嵌合して電気的に接続される第１の電気信号コネクタと、上記第１の電力供給プラグに嵌合して電力を供給するための第１の電力供給コネクタと、上記第１の電気信号コネクタに接続されていると共に映像情報を含む電気信号を伝送する第１のアダプタ側電気信号プラグとを有する第１の接続アダプタと、
上記第２の電気信号プラグに嵌合して電気的に接続される第２の電気信号コネクタと、上記第２の電力供給プラグに嵌合して電力を供給するための第２の電力供給コネクタと、上記第２の電気信号コネクタに接続されていると共に映像情報を含む電気信号を伝送する第２のアダプタ側電気信号プラグとを有する第２の接続アダプタとを備え、
上記第１の接続アダプタにおける上記第１の電気信号コネクタと第１の電力供給コネクタとの相対位置関係と、上記第２の接続アダプタにおける上記第２の電気信号コネクタと第２の電力供給コネクタとの相対位置関係とが異なっている。
【００４８】
この実施形態の接続アダプタシステムによれば、上記信号伝送装置の入力側の第１の筐体(第１の電気信号プラグ,第１の電力供給プラグ)に接続すべき上記第１の接続アダプタ(第１の電気信号コネクタ,第１の電力供給コネクタ)と出力側の第２の筐体に接続すべき第２の接続アダプタ(第２の電気信号コネクタ,第２の電力供給コネクタ)とを使用者が容易に判別できる。よって、接続アダプタの誤挿入による故障を防ぐことが可能となり、また、接続が容易で電源供給用プラグの接続忘れを防ぐことが可能となる。
【００４９】
また、一実施形態の接続アダプタでは、上記電気信号コネクタの規格と上記アダプタ側電気信号プラグの規格とは異なっている。
【００５０】
この実施形態の接続アダプタによれば、信号伝送装置の電気信号プラグと相手側機器の電気信号コネクタとが異なる規格であっても、この接続アダプタを介して信号伝送することができる。
【００５１】
また、一実施形態の電子機器では、上記信号伝送装置または上記コネクタユニットまたは上記コネクタシステムまたは上記接続アダプタまたは上記接続アダプタシステムを備えた。
【００５２】
この実施形態の電子機器によれば、相手側装置との間の接続を簡単,確実に行なえる。
【発明の効果】
【００５３】
この発明の信号伝送装置によれば、上記第１、第２の信号変換部の少なくとも一方へ電力を供給する電力供給プラグを、上記第１,第２の電気信号プラグが取り付けられている第１,第２の筐体の少なくとも一方に取り付けた。よって、この発明の信号伝送装置によれば、上記筐体に電気信号プラグと電力供給プラグの両プラグを取り付けたことで、相手側機器への接続を簡単,確実に行なえると共に上記電力供給プラグから信号変換部へ電力を供給できる。
【発明を実施するための最良の形態】
【００５４】
以下、この発明を図示の実施の形態により詳細に説明する。
【００５５】
(第１の実施の形態)
図１に、この発明の信号伝送装置の第１実施形態の構成を模式的に示す。また、図２はこの第１実施形態の信号伝送装置が備える第１の基体としての第１の筐体１の斜視図であり、図３はこの第１実施形態の信号伝送装置が備える第２の基体としての第２の筐体１１の斜視図である。
【００５６】
図１に示すように、この第１実施形態の信号伝送装置は、第１の信号変換部としての第１の回路基板６を内蔵した送信側の第１の筐体１と、第２の信号変換部としての第２の回路基板１６を内蔵した受信側の第２の筐体１１と、上記第１の筐体１の第１の回路基板６と第２の筐体１１の第２の回路基板１６との間に接続されたケーブル部としての光電ケーブル９とを備える。この光電ケーブル９は被覆部９Ａを有している。
【００５７】
図２に示すように、上記送信側の第１の筐体１の一端面１Ａには、映像情報を含む電気信号が入力される第１の電気信号プラグ２が取り付けられている。また、上記第１の筐体１の一端面１Ａには、上記第１の電気信号プラグ２の隣に第１の電力供給プラグ３が取り付けられている。つまり、第１の電気信号プラグ２,第１の電力供給プラグ３および第１の筐体１は一体化されている。
【００５８】
図１に示すように、上記第１の電気信号プラグ２は、上記第１の回路基板６が有する電気回路部５に接続され、この電気回路部５は発光素子４に接続されている。この発光素子４としては、レーザーダイオード、ＶＣＳＥＬ(Ｖertical Cavity Surface Emitting LASER：垂直共振器面発光レーザ)、ＲＣ−ＬＥＤ(Resonant Cavity Light Emitting Ｄiode)、ＬＥＤ等を使用する。また、発光素子４の発光波長は、６００〜９００ｎｍ帯のものを使用することが、価格上において望ましい。また、発光素子駆動用の電気回路部５は、１個の発光素子について１個のＩＣ(集積回路)としてもよいし、４個の発光素子４を駆動可能な１個のＩＣで構成してもよい。
【００５９】
また、上記第１の電力供給プラグ３は上記発光素子４および発光素子駆動用電気回路部５へ接続されており、この第１の電力供給プラグ３から発光素子４および電気回路部５へ電力が供給される構造となっている。
【００６０】
そして、上記第１の電気信号プラグ２には、例えば高速な映像情報のみを含む映像信号が入力され、この映像信号は第１の電気信号プラグ２から電気回路部５に入力されて発光素子４を駆動する電気信号に変換される。この電気信号は発光素子４で光信号に変換されて、光電ケーブル９の光ファイバー束７に入力される。ここで、この光ファイバー束７は４本の光ファイバーからなる。この４本の光ファイバーは、一例として、Ｒ,Ｇ,Ｂ信号およびクロック信号を伝送する。あるいは、上記４本の光ファイバーは、データ０,データ１,データ２およびクロック信号を伝送する。なお、上記第１の電気信号プラグ２には、電気信号線８が接続されており、第１の電気信号プラグ２から電気信号線８に入力された電気信号は光信号に変換しないでそのまま光電ケーブル９を通して、受信側の第２の筐体１１に伝送される。この電気信号線８は、図１では１本としたが複数本としてもよい。
【００６１】
この光ファイバー束７と電気信号線８は、外装被覆で覆い１本のケーブル状の光電ケーブル９として外観上の見栄えを良くするすると共に、取り扱いを容易にしている。
【００６２】
そして、この光ファイバー束７に入力された光信号は、受信側の第２の筐体１１が内蔵する第２の信号変換部としての第２の回路基板１６が有する受光素子１５に入力される。図３に示すように、受信側の第２の筐体１１の端面には、第２の電気信号プラグ１２と電力供給用の第２の電力供給プラグ１３が取り付けられている。上記第２の電力供給プラグ１３は第２の電気信号プラグ１２の隣に配置されていて、この第２の電気信号プラグ１２と第２の電力供給プラグ１３は受信側の第２の筐体１１に一体化されている。
【００６３】
図１に示すように、受信側の第２の筐体１１が内蔵する第２の回路基板１６には、上記受光素子１５とこの受光素子１５に接続した増幅電気回路部１４とが実装されている。
【００６４】
受光素子１５としては、フォトダイオード等を使用する。例えば、高速信号を受光するため、ＧａＡｓを用いたフォトダイオードや、Ｓｉを用いたフォトダイオードを使用する。また、受光素子用増幅電気回路部１４は、１個の受光素子１５に対応した１個のＩＣとしてもよく、４個の受光素子からの信号を増幅可能な４個のＩＣで構成してもよい。
【００６５】
そして、上記第２の電力供給プラグ１３から、上記受光素子１５および受光素子用増幅電気回路部１４へ電力が供給される構造となっている。
【００６６】
ここで、光電ケーブル９から受信側の第２の回路基板１６に入力された光信号は、受光素子１５にて電気信号に変換され、受光素子用増幅電気回路部１４にて所要の電圧値に増幅され、映像信号を含む電気信号線用の第２の電気信号プラグ１２から電気信号が出力される。
【００６７】
図１,図２,図３に示すように、第１の電気信号プラグ２は、第１の筐体１の端面１Ａに向かって第１の電力供給プラグ３の左側に取り付けられている一方、第２の電気信号プラグ１２は、第２の筐体１１の端面１１Ａに向かって第２の電力供給プラグ１３の右側に取り付けられている。つまり、上記第１の筐体１における第１の電気信号プラグ２と第１の電力供給プラグ３との相対位置関係と、第２の基体１１における第２の電気信号プラグ１２と第２の電力供給プラグ１３との相対位置関係とが異なっている。
【００６８】
したがって、入力側の第１の電気信号プラグ２,第１の電力供給プラグ３と出力側の第２の電気信号プラグ１２,第２の電力供給プラグ１３とを、使用者が容易に判別でき、誤挿入による故障を防ぐことが可能となり、また、相手側機器への接続が容易で電力供給プラグ３,１３の接続忘れを防ぐことが可能となる。
【００６９】
このように第１の筐体１の第１の電気信号プラグ２と第１の筐体１１の第２の電気信号プラグ１２とを容易に識別可能な構成としたことより、送信用ケーブルを用いる機器を正しく第１の電気信号プラグ２へ接続し、受信用ケーブルを用いる機器を正しく第２の電気信号プラグ１２へ接続することが容易となり、誤挿入を防止することが可能となる。
【００７０】
ちなみに、ＨＤＭＩ規格、ＤＶＩ規格、ディスプレイポート(ＤisplayＰort)規格のケーブルでは、ケーブルの一端と他端に設けられるプラグの形状が同一であり、プラグ自体に方向性はない。
【００７１】
これに対して、ＨＤＭＩ規格、ＤＶＩ規格、ディスプレイポート(ＤisplayＰort)規格で伝送する機器からの信号には、送信側(ソース側)、受信側(シンク側)の区別があり、映像情報を含む電気信号に方向性が生じている。この映像情報を含む電気信号を電気信号線ケーブルで伝送する場合は、方向性を必要としないため問題が生じないが、この実施形態のように、光伝送用の光電ケーブル９を使用する場合においては、光電ケーブル９の送信側の第１の筐体１の第１の電気信号プラグ２と受信側の第２の筐体１１の第２の電気信号プラグ１２との区別が必要となる。特に、光伝送用の光電ケーブル９の受信側の第２の電気信号プラグ１２は電気信号を出力する側であり、この第２の電気信号プラグ１２を送信側の信号伝送機器に実装したコネクタに誤って接続した場合には、電気信号が衝突することとなり、第２の回路基板１６に実装した増幅電気回路部１４もしくは上記送信側の信号伝送機器が故障する場合が考えられる。
【００７２】
この様な故障を防ぐために、この実施形態では、光電ケーブル９の入力側の第１の筐体１に対する第１の電力供給プラグ３の取り付け位置と出力側の第２の筐体１１に対する第２の電力供給プラグ１２の取り付け位置とを異ならせ、第１,第２の電力供給プラグ３,１２に対して第１,第２の電気信号プラグ２,１２の方向性を持たして、物理的に誤挿入防止可能な構造としている。
【００７３】
また、この実施形態では、電気信号プラグ２と電力供給プラグ３、および電気信号プラグ１２と電力供給プラグ１３がそれぞれ一体となって構成されているので、光電ケーブル９への電力供給と電気信号の入,出力とが同時に行えると共に各信号プラグ,電力供給プラグの接続を容易に行うことが可能となる。
【００７４】
なお、この第１実施形態では、図１に示すように、４本の光ファイバーからなる光ファイバー束７で光信号を伝送したが、４本の光ファイバーに入力する光信号をシリアル化して１本の光ファイバーで光伝送してもよい。この場合、第１の回路基板６にシリアル化電気回路を別途設けてもよく、このシリアル化電気回路を電気回路部１０５に設けてもよい。また、上記実施形態では、電気信号線８は光信号に変換しない電気信号をそのまま受信側の第２の筐体１１の第２の電気信号プラグ１２に伝送したが、上記電気信号を上記電気信号の伝送を制御する制御回路を経由して電気信号線８で伝送してもよい。また、上記制御回路を第１の回路基板６に実装してもよい。また、この実施形態では、電力供給用プラグ３から電気回路部５と発光素子４に電力を直接供給したが、第１の筐体１に電源回路部(図示せず)を内蔵させ、この電源回路を介して電気回路部５,発光素子４に電力を供給してもよい。
【００７５】
また、電気信号用プラグ２,１２は、ＨＤＭＩ(Ｈigh Ｄefinition Ｍultimedia Ｉnterface)規格に準拠したＨＤＭＩプラグ、ＤＶＩ(Ｄigital Ｖisual Ｉnterface)規格に準拠したＤＶＩプラグ、ディスプレイポート(ＤisplayＰort)規格に準拠したディスプレイポート(ＤisplayＰort)プラグであってもよい。
【００７６】
また、この実施形態では、第１,第２の筐体１,１１において、第１,第２の電力供給プラグ３,１３を第１,第２の電気信号プラグ２,１２の側方に配置したが、第１,第２の電気信号プラグ２,１２に対して第１,第２の電力供給プラグ３,１３を上,下方向あるいは斜め方向に配置してもよい。また、この実施形態では、第１,第２の電源供給プラグ３,１３を、第１,第２の回路基板６,１６とは別に設けたが、第１,第２の回路基板６,１６をなすプリント基板を延長,突出させた部分に電極を形成して第１,第２の電源供給プラグとしてもよい。
【００７７】
(第２の実施の形態)
次に、図４に、この発明の信号伝送装置の第２実施形態の構成を模式的に示す。また、図５はこの第２実施形態の信号伝送装置が備える第１の基体２１,中間電気信号ケーブル２２,第１筐体１を示す斜視図であり、図６はこの第２実施形態の信号伝送装置が備える第２の筐体１１,中間電気信号ケーブル２４,第２の基体２３を示す斜視図である。
【００７８】
この第２実施形態は、次の(1)〜(4)の点が、前述の第１実施形態と異なる。
【００７９】
(1) 第１の電気信号プラグ１と第１の電力供給プラグ３が第１の基体２１に一体化されている点
(2) 第１の基体２１と第１の筐体１とが中間電気信号ケーブル２２で接続されている点
(3)  第２の電気信号プラグ１２と第２の電力供給プラグ１３が第２の基体２３に一体化されている点
(4) 第２の基体２３と第２の筐体１１とが中間電気信号ケーブル２４で接続されている点
よって、この第２実施形態では、前述の第１実施形態と同じの構成部分には同じ符号を付して、前述の第１実施形態と異なる点を主に説明する。
【００８０】
図４〜図６に示すように、この第２実施形態では、第１の基体２１に一体化した第１の電気信号プラグ２が電気信号線２５で第１の回路基板６の電気回路部５に接続され、第１の基体２１に一体化した第１の電力供給プラグ３が電力線２６で電気回路部５,発光素子４に接続されている。また、上記第１の電気信号プラグ２には、電気信号線８が接続されている。上記電気信号線８,２５と電力線２６が被覆部２２Ａで被覆されて中間電気信号ケーブル２２を構成している。
【００８１】
また、第２の基体２３に一体化した第２の電気信号プラグ１２が電気信号線２７で第２の回路基板１６の電気回路部１４に接続され、第２の基体２３に一体化した第２の電力供給プラグ１３が電力線２８で電気回路部１４,受光素子１５に接続されている。また、上記第２の電気信号プラグ１２に電気信号線８が接続されている。この電気信号線８,２７と電力線２８が被覆部２４Ａで被覆されて中間電気信号ケーブル２４を構成している。
【００８２】
また、図４に示すように、第１の基体２１の端面２１Ａにおける第１の電気信号プラグ２に対して端面２１Ａに向かって右側に第１の電力供給プラグ３が形成されており、第２の基体２３の端面２３Ａにおける第２の電気信号プラグ１２に対して端面２３Ａに向かって左側に第２の電力供給プラグ１３が形成されている。
【００８３】
この第２実施形態によれば、第１の電気信号プラグ２と第１の電力供給プラグ３が一体化された第１の基体２１が第１の筐体１から分離されて中間電気信号ケーブル２２で接続されているので、第１の基体２１の小型化を図れる。また、第２の電気信号プラグ１２と第２の電力供給プラグ１３が一体化された第２の基体２３が第２の筐体１１から分離されて中間電気信号ケーブル２４で接続されているので、第２の基体２３の小型化を図れる。
【００８４】
また、第１,第２の基体２１,２３は、中間電気信号ケーブル２２,２４を自在に曲げることが可能であるので、第１,第２の電気信号プラグ２,１２と第１,第２の電力供給プラグ３,１３を相手側機器に接続し易くなる。
【００８５】
(第３の実施の形態)
次に、図７に、この発明の信号伝送装置の第３実施形態の構成を模式的に示す。図８はこの第３実施形態の信号伝送装置が備える第１の筐体１の斜視図であり、図９はこの第３実施形態の信号伝送装置が備える第２の筐体１１の斜視図である。
【００８６】
この第３実施形態は、図７に示すように、第１の筐体１に第１の電力供給プラグ３が取り付けられていない点と、第２の筐体１１に取り付けた第２の電力供給プラグ１３に接続された電力線３１を光電ケーブル９を通して電気回路部５および発光素子４に接続した点とが、前述の第１実施形態と異なる。よって、この第３実施形態では、前述の第１実施形態と同様の部分には同様の符号を付して、前述の第１実施形態と異なる点を主に説明する。
【００８７】
この第３実施形態では、第２の筐体１１に取り付けた第２の電力供給プラグ１３から第２の回路基板１６の電気回路部１４,受光素子１５だけでなく、第１の回路基板６の電気回路部５,発光素子４へ電力が供給される。
【００８８】
この第３実施形態によれば、光電ケーブル９の受信側の第２の筐体１１のみに電力供給プラグ１３が設けられているので、光電ケーブル９の受信側の第２の電気信号プラグ１２は、電力供給プラグ１３に接続可能なコネクタを設けていない相手側機器に接続することが物理的に不可能となる。よって、この実施形態によれば、第２の電気信号プラグ１２を相手側機器に誤挿入することを防止でき、誤挿入による故障を防ぐことが可能となる。
【００８９】
また、この実施形態では、送信側の第１の筐体１に電気信号プラグ２を設けたが電力供給プラグを設けていないので、この電気信号プラグ２は、電力供給用プラグに対応したコネクタを実装していない相手側機器に接続が可能となる。そして、この実施形態では、受信側の第２の筐体１１に取り付けられた電力供給プラグ１３から電力線３１を経由して第１の回路基板６に電力が供給される。
【００９０】
(第４の実施の形態)
次に、図１０の上面透視図に、この発明の第４実施形態としての光伝送装置用コネクタシステムを示す。また、図１１は、上記コネクタシステムを図１０に示す矢印Ａ,Ｂの方向に見た様子を示す側面図である。また、図１２は、上記コネクタシステムの斜視図である。
【００９１】
この第４実施形態のコネクタシステムは、前述の第１実施形態の信号伝送装置の第１電気信号プラグ２,第１電力供給プラグ３に接続可能な第１のコネクタユニットＵ１および第２電気信号プラグ１２,第２電力供給プラグ１３が接続可能な第２のコネクタユニットＵ２を備える。この第１のコネクタユニットＵ１は送信側機器４５に実装され、第２のコネクタユニットＵ２は受信側機器４６に実装される。この第４実施形態のコネクタシステムに第１,第２,第３実施形態を接続することにより、第１〜第３実施形態と相手側機器との間の信号伝送が可能となる。
【００９２】
図１１において、相手側機器４５は、信号を送信する側の機器４５(ソース側機器)であり、相手側機器４６は信号を受信する側の機器(シンク側機器)である。送信側の機器４５の端面４５Ａには、第１の電気信号プラグ２に嵌合,接続可能な電気信号コネクタ４１が設けられており、この端面４５Ａに向かって電気信号コネクタ４１の左側方に電力供給コネクタ４２を設けている。この電力供給コネクタ４２は、上記第１電力供給プラグ３に嵌合,接続可能になっている。上記電気信号コネクタ４１と電力供給コネクタ４２とが第１コネクタユニットＵ１を構成している。
【００９３】
一方、受信側の機器４６の端面４６Ａにも、第２の電気信号プラグ１２と接続可能な電気信号コネクタ４３が設けられており、この端面４６Ａに向かって上記電気信号コネクタ４３の右側方に電力供給コネクタ４４を設けている。この電気信号コネクタ４３と電力供給コネクタ４４とが第２コネクタユニットＵ２を構成している。
【００９４】
したがって、図１０〜図１２に示すように、送信側機器４５における電気信号コネクタ４１と電力供給コネクタ４２との位置関係と、受信側機器４６における電気信号コネクタ４３と電力供給コネクタ４４との位置関係とは異なっている。このことにより、前述の第１実施形態で述べた信号伝送装置の送信側の第１電気信号プラグ２,第１電力供給プラグ３は、送信側機器４５の電気信号コネクタ４１,電力供給コネクタ４２に接続可能できるが、受信側機器４６の電気信号コネクタ４３,電力供給コネクタ４４には物理的に挿入不可能であり接続不可能な構造となっている。また、受信側の第２電気信号プラグ１２,第２電力供給プラグ１３は、受信側機器４６の電気信号コネクタ４３,電力供給コネクタ４４に接続できるが、送信側機器４５の電気信号コネクタ４１,電力供給コネクタ４２には物理的に挿入不可能であり接続不可能な構造となっている。
【００９５】
したがって、この第４実施形態のコネクタシステムによれば、プラグの誤挿入による故障を防ぐ構造となっている。また、この第４実施形態が備える電気信号コネクタ４１,電力供給コネクタ４２と電気信号コネクタ４３,電力供給コネクタ４４は、前述の第１〜第３実施形態の第１電気信号プラグ２,第１電力供給プラグ３と第２電気信号プラグ１２,第２電力供給プラグ１３を接続可能であるので、前述の第１〜第３実施形態に電源供給と電気信号の入出力とを同時に行え、かつ容易に接続が可能となる。
【００９６】
また、この第４実施形態では、図１１に示すように、送信側機器４５の端面４５Ａに向かって電気信号コネクタ４１の左側方に電力供給コネクタ４２を配置し、受信側機器４６の端面４６Ａに向かって電気信号コネクタ４３の右側方に電力供給コネクタ４４を配置したが、電気信号コネクタ４１の上側または下側に電力供給コネクタ４２を配置し、電気信号コネクタ４３の下側または上側に電力供給コネクタ４４を配置してもよい。
【００９７】
また、電気信号コネクタ４１,４３は、ＨＤＭＩ(Ｈigh Ｄefinition Ｍultimedia Ｉnterface)規格に準拠したＨＤＭＩプラグ、ＤＶＩ(Ｄigital Ｖisual Ｉnterface)規格に準拠したＤＶＩプラグ、ディスプレイポート(ＤisplayＰort)規格に準拠したディスプレイポート(ＤisplayＰort)プラグであってもよい。
【００９８】
この第４実施形態のコネクタシステムによれば、上述の様に、使用する機器４５,４６の側には、光信号伝送用のコネクタを別途設ける必要がない。すなわち、長距離伝送が必要な場合には、前述の光電ケーブル９を有する信号伝送装置を使用し、長距離伝送が必要ない場合には、既存の電気信号用ケーブルを使用することが可能である。よって、光電ケーブルと電気信号用ケーブルとのうちの使用するケーブルを変更することにより、長距離伝送を要する場合と長距離伝送を要しない場合とで、光電ケーブルと電気信号用ケーブルとを使い分けることが可能となる。したがって、この実施形態のコネクタシステムの構成によれば、使用機器においては、電力供給コネクタを増設するだけで長距離伝送が可能となる。
【００９９】
(第５の実施の形態)
次に、図１３の上面透視図に、この発明の第５実施形態としての光伝送装置用コネクタシステムを示す。また、図１４は、このコネクタシステムを図１３の矢印Ａ,Ｂの方向に見た様子を示す側面図である。また、図１５は、上記コネクタシステムの斜視図である。
【０１００】
この第５実施形態のコネクタシステムは、送信側機器４５に実装される第１のコネクタユニットＵ１１が電力供給コネクタ４２を有していない点だけが前述の第４実施形態のコネクタシステムと異なる。よって、この第５実施形態では、前述の第４実施形態と異なる点を主に説明する。
【０１０１】
この第５実施形態のコネクタシステムによれば、受信する側の機器４６のみに電力供給コネクタ４４が設けられているため、前述の第３実施形態の信号伝送装置に接続することにより、長距離伝送が可能となる。
【０１０２】
また、この第５実施形態のコネクタシステムは、前述の第３実施形態の信号伝送装置と組み合わせて使用することで、送信側機器４５に電力供給コネクタが実装されていなくても、長距離伝送が可能となる。
【０１０３】
(第６の実施の形態)
次に、図１６の上面透視図に、この発明の第６実施形態としての光伝送装置用接続アダプタシステムを示す。
【０１０４】
この第６実施形態の接続アダプタシステムは、前述の第１〜第３実施形態の信号伝送装置と、電力供給プラグに対応したコネクタが実装されていない送受信側機器との間に接続して使用する。
【０１０５】
この第６実施形態は、第１の接続アダプタＡＤ１と第２の接続アダプタＡＤ２を備える。上記第１の接続アダプタＡＤ１は、筐体５１の一端面５１Ａに取付けられたアダプタ側電気信号プラグ５８と、筐体５１の他端面５１Ｂに取付けられた第１の電気信号コネクタ５９と、筐体５１の他端面５１Ｂにおいて第１の電気信号コネクタ５９の隣に取付けられた第１の電力供給コネクタ６０を有する。
【０１０６】
上記アダプタ側電気信号プラグ５８と第１の電気信号コネクタ５９との間には、変換回路部５３が接続されている。この変換回路部５３は、筐体５１に内蔵されている。また、筐体５１は、第１の電力供給コネクタ６０に接続されたＡＣアダプタ接続用コネクタ５５を有しており、このＡＣアダプタ接続用コネクタ５５にＡＣアダプタが接続されるようになっている。
【０１０７】
一方、第２の接続アダプタＡＤ２は、筐体５２の一端面５２Ａに取付けられたアダプタ側電気信号プラグ６１と、筐体５２の他端面５２Ｂに取付けられた第２の電気信号コネクタ６２と、筐体５２の他端面５２Ｂにおいて第２の電気信号コネクタ６２の隣に取付けられた第２の電力供給コネクタ６３を有する。
【０１０８】
上記アダプタ側電気信号プラグ６１と第２の電気信号コネクタ６２との間には、変換回路部５４が接続されている。この変換回路部５４は、筐体５２に内蔵されている。また、筐体５２は、第２の電力供給コネクタ６３に接続されたＡＣアダプタ接続用コネクタ５６を有しており、このＡＣアダプタ接続用コネクタ５６にＡＣアダプタが接続されるようになっている。
【０１０９】
上記第１の接続アダプタＡＤ１の第１の電気信号コネクタ５９,第１の電力供給コネクタ６０は、前述の第１実施形態の第１の電気信号プラグ２,第１の電力供給プラグ３に嵌合して電気的に接続される。また、上記第２の接続アダプタＡＤ２の第２の電気信号コネクタ６２,第２の電力供給コネクタ６３は、前述の第１実施形態の第２の電気信号プラグ１２,第２の電力供給プラグ１３に嵌合して電気的に接続される。
【０１１０】
上記第１の接続アダプタＡＤ１のアダプタ側電気信号プラグ５８は、送信側機器(図示せず)のコネクタに接続される。ここで、上記変換回路部５３は、上記アダプタ側電気信号プラグ５８から入力される電気信号を変換して上記第１の電気信号コネクタ５９に入力する。この変換回路部５３により、アダプタ側電気信号プラグ５８に入力される電気信号を、上記第１の電気信号コネクタ５９に適合した電気信号に変換して第１の電気信号コネクタ５９に入力することができる。また、上記第１の接続アダプタＡＤ１の第１の電力供給コネクタ６０は、電気的に接続された上記第１の電力供給プラグ３にＡＣアダプタ接続用コネクタ５５からのＤＣ電力を供給できる。なお、上記アダプタ側電気信号プラグ５８から入力される電気信号を変換する必要が無い場合には、上記変換回路部５３を省略してもよい。
【０１１１】
一方、上記第２の接続アダプタＡＤ２では、上記第２の電気信号プラグ１２から第２の電気信号コネクタ６２に入力された電気信号が上記変換回路部５４に入力され、この変換回路部５４で変換された電気信号が上記アダプタ側電気信号プラグ６１に入力される。この変換回路部５４により、第２の電気信号コネクタ６２に入力された電気信号をアダプタ側電気信号プラグ６１に適合した電気信号に変換してアダプタ側電気信号プラグ６１に入力することができる。このアダプタ側電気信号プラグ６１は、受信側機器(図示せず)のコネクタに接続される。また、この第２の接続アダプタＡＤ２の第２の電力供給コネクタ６３は、電気的に接続された上記第２の電力供給プラグ１３にＡＣアダプタ接続用コネクタ５６からのＤＣ電力を供給できる。なお、上記第２の電気信号コネクタ６２に入力された電気信号を変換する必要が無い場合には、上記変換回路部５４を省略してもよい。
【０１１２】
なお、前述した第３実施形態の信号伝送装置を使用し、送信側の機器(図示せず)からの電気信号を変換する必要がある場合には、図１６の第１の接続アダプタＡＤ１に替えて、図１７に示す第１の接続アダプタＡＤ１１としてもよい。この図１７の第１の接続アダプタＡＤ１１は、図１６の第１の接続アダプタＡＤ１から第１の電力供給コネクタ６０とＡＣアダプタ接続用コネクタ５５を取り去った構成である。
【０１１３】
この第６実施形態の接続アダプタシステムによれば、前述の第１〜第３実施形態の信号伝送装置を、電力供給コネクタを持たない既存の送,受信側機器に接続して信号伝送を行なうことができる。
【０１１４】
また、この第６実施形態の接続アダプタシステムによれば、上記第１の接続アダプタＡＤ１の筐体５１の端面５１Ｂにおける上記第１の電気信号コネクタ５９と第１の電力供給コネクタ６０との相対位置関係と、上記第２の接続アダプタＡＤ２の筐体５２の端面５２における上記第２の電気信号コネクタ６２と第２の電力供給コネクタ６３との相対位置関係とが異なっている。よって、使用者は第１の接続アダプタＡＤ１と第２の接続アダプタＡＤ２とを容易に判別できる。
【０１１５】
(第７の実施の形態)
次に、図１８の上面透視図を参照して、この発明の第７実施形態である光伝送装置用接続アダプタシステムを説明する。この第７実施形態は、第１の接続アダプタＡＤ１が、ＡＣアダプタ接続用コネクタ５５に替えて電源回路部７３とこの電源回路部７３に接続されたＡＣケーブル７５を有する点と、第２の接続アダプタＡＤ２が、ＡＣアダプタ接続用コネクタ５６に替えて電源回路部７４とこの電源回路部７４に接続されたＡＣケーブル７６を有する点とが前述の第６実施形態と異なる。よって、この第７実施形態では、前述の第６実施形態と異なる点を主に説明する。
【０１１６】
この第７実施形態の接続アダプタシステムによれば、第１の接続アダプタＡＤ１のＡＣケーブル７５のＡＣプラグ７５ＡからのＡＣ電力が電源回路部７３に供給され、この電源回路部７３から第１の電力供給コネクタ６０にＤＣ電力を供給できる。また、第２の接続アダプタＡＤ２のＡＣケーブル７６のＡＣプラグ７６ＡからのＡＣ電力が電源回路部７４に供給され、この電源回路部７４から第２の電力供給コネクタ６３にＤＣ電力を供給できる。
【０１１７】
したがって、この第７実施形態によれば、接続相手の送,受信側機器にＡＣコンセントが実装されている場合において、別途ＡＣアダプタが不要となる。
【０１１８】
なお、前述の第３実施形態の信号伝送装置を使用する場合は、受信側機器に対してのみ接続アダプタＡＤ２を装着することにより、上記第３実施形態の信号伝送装置を使用した長距離伝送が可能となる。
【図面の簡単な説明】
【０１１９】
【図１】この発明の第１実施形態である信号伝送装置を模式的に示すブロック図である。
【図２】上記第１実施形態の第１の筐体の斜視図である。
【図３】上記第１実施形態の第２の筐体の斜視図である。
【図４】この発明の第２実施形態である信号伝送装置を模式的に示すブロック図である。
【図５】上記第２実施形態の第１の基体２１,中間電気信号ケーブル２２,第１筐体１を示す斜視図である。
【図６】上記第２実施形態の第２の基体２３,中間電気信号ケーブル２４,第２筐体１１を示す斜視図である。
【図７】この発明の第３実施形態である信号伝送装置を模式的に示すブロック図である。
【図８】上記第３実施形態の第１の筐体の斜視図である。
【図９】上記第３実施形態の第２の筐体の斜視図である。
【図１０】この発明の第４実施形態としての光伝送装置用コネクタシステムを示す上面透視図である。
【図１１】上記第４実施形態の側面図である。
【図１２】上記第４実施形態の斜視図である。
【図１３】この発明の第５実施形態としての光伝送装置用コネクタシステムを示す上面透視図である。
【図１４】上記第５実施形態の側面図である。
【図１５】上記第５実施形態の斜視図である。
【図１６】この発明の第６実施形態としての光伝送装置用アダプタシステムの上面透視図である。
【図１７】上記第６実施形態の変形例である。
【図１８】この発明の第７実施形態である光伝送装置用接続アダプタシステムの上面透視図である。
【図１９】第１従来例としてのデジタルビデオ信号インタフェースモジュールのブロック図である。
【図２０】第２従来例としての信号伝送装置のブロック図である。
【符号の説明】
【０１２０】
１  第１の筐体
２  第１の電気信号プラグ
３  第１の電力供給プラグ
４  発光素子
５  電気回路部
６  第１の回路基板
７  光ファイバー束
８  電気信号線
９  光電ケーブル
１１  第２の筐体
１２  第２の電気信号プラグ
１３  第２の電力供給プラグ
１４  電気回路部
１５  受光素子
１６  第２の回路基板
２１  第１の基体
２２、２４  中間信号ケーブル
２３  第２の基体
２５、２７  電気信号線
２６、２８、３１  電力線
Ｕ１、Ｕ１１  第１のコネクタユニット
Ｕ２  第２のコネクタユニット
４１、４３  電気信号コネクタ
４２、４４  電力供給コネクタ
４５  送信側機器
４６  受信側機器
ＡＤ１、ＡＤ１１  第１の接続アダプタ
ＡＤ２  第２の接続アダプタ
５１、５２  筐体
５３、５４  変換回路部
５５、５６  ＡＣアダプタ接続用コネクタ
５８  アダプタ側電気信号プラグ
５９  第１の電気信号コネクタ
６０  第１の電力供給コネクタ
６１  アダプタ側電気信号プラグ
６２  第２の電気信号コネクタ
６３  第２の電力供給コネクタ
７３、７４  電源回路部
７５、７６  ＡＣケーブル
【図１】
2009194511.tif 000003
【図２】
2009194511.tif 000004
【図３】
2009194511.tif 000005
【図４】
2009194511.tif 000006
【図５】
2009194511.tif 000007
【図６】
2009194511.tif 000008
【図７】
2009194511.tif 000009
【図８】
2009194511.tif 000010
【図９】
2009194511.tif 000011
【図１０】
2009194511.tif 000012
【図１１】
2009194511.tif 000013
【図１２】
2009194511.tif 000014
【図１３】
2009194511.tif 000015
【図１４】
2009194511.tif 000016
【図１５】
2009194511.tif 000017
【図１６】
2009194511.tif 000018
【図１７】
2009194511.tif 000019
【図１８】
2009194511.tif 000020
【図１９】
2009194511.tif 000021
【図２０】
2009194511.tif 000022